(57)【特許請求の範囲】
【請求項１】
表表紙部と、裏表紙部と、前記表表紙部および前記裏表紙部を一体的に接続する背表紙部とからなる表紙本体を備える表紙であって、
透明または半透明の部材で成形され、前記表紙本体の外部から見出しを視認するために設けられる見出し部を備え、
前記表紙本体は、切欠き縁を有し、自らを貫通する窓抜き部を含み、
前記見出し部は、
表部と、前記表部と互いに重なるように設けられる裏部とを有し、且つ前記切欠き縁に対応する形状の見出し部縁を含み、
前記裏部には、前記見出しの表わされた見出し紙を挿入するためのスリットが設けられ、
前記切欠き縁と前記見出し部縁とは、前記見出し部の表部の外面が前記表紙本体の外側表面とフラットになり、且つ前記見出し部の裏部が前記表紙本体の外側表面よりも内側に位置するように溶着される、表紙。
【請求項２】
前記切欠き縁と前記見出し部縁は、互いに対応する凹凸形状を有する、請求項１に記載の表紙。
【請求項３】
表表紙部と、裏表紙部と、表表紙部および裏表紙部を一体的に接続する背表紙部とからなる表紙本体を備える表紙の製造方法であって、
表表紙部と、裏表紙部と、背表紙部と、切欠き縁を有する窓抜き部とを含む表紙本体を作製するステップと、
表部と、前記表部と互いに重なるように設けられる裏部とを有し、且つ前記窓抜き部の切欠き縁に対応する形状の見出し部縁を有し、前記裏部にはスリットが設けられ、透明または半透明の部材で成形される見出し部を作製するステップと、
前記窓抜き部の切欠き縁に、前記見出し部の見出し部縁を対応させて宛がうステップと、
前記切欠き縁と前記見出し部縁とを、前記見出し部の表部の外面が前記表紙本体の外側表面とフラットになり、且つ前記見出し部の裏部が前記表紙本体の外側表面よりも内側に位置するように溶着するステップとを含む、表紙の製造方法。
【発明の詳細な説明】
【技術分野】
【０００１】
この発明は、表紙およびその製造方法に関し、特に、外部から見出しを視認するための見出し部を備える表紙およびその製造方法に関する。
【背景技術】
【０００２】
従来から、用紙などを収納するためのファイルやバインダーが知られている。このようなファイルやバインダーには、通常、表表紙部と、裏表紙部と、これら表表紙部および裏表紙部を一体的に接続する背表紙部とからなる表紙本体を備える表紙が主要な構成として含まれる。そして、このような表紙の例えば背表紙部には、見出し紙などに表わされた見出しを外部から視認するための見出し部が設けられたものがある。このような見出し部を備える表紙が、例えば、特開２００４‐１７５０４５号公報（以下「特許文献１」という）や特開２００４−１２２４８５号公報（以下「特許文献２」という）に記載されている。
【０００３】
特許文献１には、背見出し用紙を配置するように設けた背見出し用紙配置部の高さ寸法を、所定の標準規格紙の長辺又は短辺の何れかの寸法に対応させたことを特徴とするファイルが開示されている。
また、特許文献２には、表表紙又は裏表紙の少なくとも一方に表紙面に沿ってポケットを形成する樹脂製カバーを配し、表表紙又は／及び裏表紙における樹脂カバーで覆われた面の範囲内に窓を設けた構成の表紙体が開示されている。
【先行技術文献】
【特許文献】
【０００４】
【特許文献１】特開２００４‐１７５０４５号公報
【特許文献２】特開２００４−１２２４８５号公報
【発明の概要】
【発明が解決しようとする課題】
【０００５】
特許文献１および特許文献２に記載されている表紙の見出し部は、外部からの見出しの視認を可能とするため、通常、透明または半透明の部材（例えば、ポリプロピレンなどの熱可塑性合成樹脂など）で成形される。しかしながら、特許文献１および特許文献２の見出し部は、その端縁を表紙本体の外側表面に溶着して取り付けられる。すなわち、このような見出し部は、表紙本体の外側表面から飛び出た状態である。したがって、破れたり撓んだりし易く、十分な強度を有するものではないという問題があった。なお、十分な強度を有する表紙として、表紙本体から鉄枠などを突設し、これを外縁とする見出し部を備える表紙が知られている。しかしながら、このような表紙は製造コストが高くなるという問題があった。
【０００６】
この発明は上記した問題に鑑みてなされたものであり、十分な強度を有するとともに、製造コストを低く抑えることができる表紙およびその製造方法を提供することを目的とする。
【課題を解決するための手段】
【０００７】
この発明の請求項１に係る表紙は、表表紙部と、裏表紙部と、表表紙部および裏表紙部を一体的に接続する背表紙部とからなる表紙本体を備える表紙であって、透明または半透明の部材で成形され、表紙本体の外部から見出しを視認するために設けられる見出し部を備え、表紙本体は、切欠き縁を有し、自らを貫通する窓抜き部を含み、見出し部は、切欠き縁に対応する形状の見出し部縁を含み、切欠き縁と見出し部縁とは、表紙本体の外側表面と見出し部の外側表面とがフラットとなるように溶着される、表紙である。
【０００８】
この発明の請求項２に係る表紙は、切欠き縁と見出し部縁は、互いに対応する凹凸形状を有する、請求項１に記載の表紙である。
【０００９】
この発明の請求項３に係る表紙は、見出し部は、表紙本体の外側表面とフラットな外面を有する表部と、表紙本体の外側表面よりも内側に位置し、表部と互いに重なるように設けられる裏部とからなり、裏部には、見出しが表わされた見出し紙を挿入するためのスリットが設けられる、請求項１または請求項２に記載の表紙である。
【００１０】
この発明の請求項４に係る表紙の製造方法は、表表紙部と、裏表紙部と、表表紙部および裏表紙部を一体的に接続する背表紙部とからなる表紙本体を備える表紙の製造方法であって、表表紙部と、裏表紙部と、背表紙部と、切欠き縁を有する窓抜き部とを含む表紙本体を作製するステップと、窓抜き部の切欠き縁に対応する形状の見出し部縁を有し、透明または半透明の部材で成形される見出し部を作製するステップと、窓抜き部の切欠き縁に、見出し部の見出し部縁を対応させて宛がうステップと、切欠き縁と見出し部縁とを、表紙本体の外側表面と見出し部の外側表面とがフラットになるように溶着するステップとを含む、表紙の製造方法である。
【発明の効果】
【００１１】
この発明に係る表紙は、切欠き縁を有する窓抜き部と、この切欠き縁に対応する形状の見出し部縁を有する見出し部とを備える。そして、切欠き縁と見出し部縁とを、表紙本体の外側表面と見出し部の外側表面がフラットとなるように溶着するようにした。したがって、見出し部が表紙本体の外側表面から飛び出た状態にならないため、破れたり撓んだりすることがない。また、表紙本体から鉄枠などを突設する必要もない。その結果、十分な強度を有するとともに、製造コストを低く抑えることができる表紙およびその製造方法を提供できる。
【図面の簡単な説明】
【００１２】
【図１】この発明の一実施の形態に係る表紙を主要な構成とするファイルを閉じた状態を外側から見た斜視図である。
【図２】この発明の一実施の形態に係る表紙を主要な構成とするファイルを見開いた状態を内側から見た斜視図である。
【図３】この発明の一実施の形態に係る表紙が備える見出し部単体の表部と裏部を折り重ねる前の状態を示す平面図である。
【図４】この発明の一実施の形態に係る表紙が備える見出し部単体の表部と裏部を折り重ねた状態を裏部側から見たときの平面図である。
【図５】この発明の一実施の形態に係る表紙が備える表紙本体単体を見開いた状態を内側から見たときの平面図である。
【図６Ａ】シートから裁断した表紙本体の窓抜き部に、予め作製された見出し部を宛がった状態を示す平面図である。
【図６Ｂ】図６ＡのＩ−Ｉ断面図である。
【図７Ａ】切欠き縁と見出し部縁とを、表紙本体の外側表面と見出し部の外側表面とがフラットになるように溶着した状態を示す平面図である。
【図７Ｂ】図７ＡのＩＩ−ＩＩ断面図である。
【図７Ｃ】図７ＡのＩＩＩ−ＩＩＩ断面図である。
【図８】この発明の一実施の形態に係る表紙の背表紙部の内側に綴じ具を取り付ける様子を示す斜視図である。
【図９】この発明の一実施の形態に係る表紙を主要な構成とするファイルの見出し部に、見出し紙を挿入する様子を示す斜視図である。
【図１０】この発明の一実施の形態に係る表紙を主要な構成とするファイルを示す斜視図である。
【図１１】この発明の変形例に係る表紙が備える表紙本体単体を見開いた状態を内側から見たときを示す平面図である。
【図１２】図１１の窓抜き縁に対応した形状の見出し部縁を有する見出し部を示す平面図である。
【図１３】この発明の変形例に係る表紙が備える、同一形状の三角形が長手方向に複数個並ぶ凹凸形状の見出し部縁を有する見出し部を示す平面図である。
【図１４】この発明の変形例に係る表紙が備える、図１２の台形のピッチを長くした形状の見出し部縁を有する見出し部を示す平面図である。
【図１５】この発明の他の実施の形態に係る表紙を表表紙部側から見たときを示す平面図である。
【発明を実施するための形態】
【００１３】
＜ファイル１０について＞
以下、この発明の実施の形態について図面を参照して説明する。図１は、この発明の一実施の形態に係る表紙２０を主要な構成とするファイル１０を閉じた状態を外側から見た斜視図である。また、図２は、このファイル１０を見開いた状態を内側から見た斜視図である。なお、図２では、見た目の煩雑さを避けるため、綴じ体たる複数枚の用紙３００を省略してある。
【００１４】
ファイル１０は、複数枚の用紙３００を綴じて整理・保管するためのものである。ファイル１０は、この発明に係る表紙２０と、表紙２０の内側に設けられる綴じ具１８０とから構成される。表紙２０は、表紙本体３０と、見出し部１００とを備える。表紙本体３０は、表表紙部３２と、裏表紙部３４と、これら表表紙部３２および裏表紙部３４を一体的に接続する背表紙部３６とを含む。表表紙部３２と背表紙部３６とは、直線状の表背接続部１５２において一体的に接続される。すなわち、表表紙部３２の幅方向の一方側の端辺と背表紙部３６の幅方向の一方側の端辺とが表背接続部１５２において一体的に接続される。また、裏表紙部３４と背表紙部３６とは、直線状の裏背接続部１５４において一体的に接続される。すなわち、裏表紙部３４の幅方向の一方側の端辺と背表紙部３６の幅方向の一方側の端辺とが裏背接続部１５４において一体的に接続される。そして、表表紙部３２と背表紙部３６とが表背接続部１５２で互いの角度を変えることにより、または裏表紙部３４と背表紙部３６とが裏背接続部１５４で互いの角度を変えることにより、表紙２０は見開いたり閉じたりされる。なお、表紙本体３０は、不透明の部材で成形される。
見出し部１００は、複数枚の用紙３００の見出しが表される見出し紙２００をその内部に収納するためのものであり、外部からの見出しの視認を可能とするために透明または半透明の部材（例えば、ポリプロピレンなどの熱可塑性合成樹脂）で成形される。見出し部１００は、表表紙部３２の外側表面とフラットな外面を有する表側見出し部１３２と、裏表紙部３４の外側表面とフラットな外面を有する裏側見出し部１３４と、これら表側見出し部１３２および裏側見出し部１３４を一体的に接続する、背表紙部３６の外側表面とフラットな外面を有する背側見出し部１３６とを含む。
表側見出し部１３２と背側見出し部１３６とは、直線状の表背見出し接続部１６２において一体的に接続される。すなわち、表側見出し部１３２の幅方向の一方側の端辺と背側見出し部１３６の幅方向の一方側の端辺とが表背見出し接続部１６２において一体的に接続される。また、裏側見出し部１３４と背側見出し部１３６とは、直線状の裏背見出し接続部１６４において一体的に接続される。すなわち、裏側見出し部１３４の幅方向の一方側の端辺と背側見出し部１３６の幅方向の一方側の端辺とが表背見出し接続部１６４において一体的に接続される。そして、表背見出し接続部１６２と上記した表紙本体３０の表背接続部１５２とが連続的に直線状になる。また、裏背接続部１５４と上記した表紙本体３０の裏背見出し接続部１６４とが連続的に直線状になる。また、表背接続部１５２と表背見出し接続部１６２が一体的に折り曲げられることにより、表表紙部３２が開閉される。また、同様に、裏背見出し接続部１６４と裏背接続部１５４が一体的に折り曲げられることにより、裏表紙部３４が開閉される。
【００１５】
綴じ具１８０は、この発明に係る表紙２０の背表紙部３６の内側に設けられる。綴じ具１８０は、長手方向に延びる綴じ具本体１８２と、綴じ具本体１８２の上面に長手方向に並んで複数個設けられるリング部１８４とを含む。リング部１８４は、その上端部で二股に開閉可能に構成される。すなわち、リング部１８４の上端部を開き、複数枚の用紙３００それぞれに設けられた対応する孔に通して、そのあとリング部１８４の上端部を閉じることにより、複数枚の用紙３００をファイル１０に綴じることができる。
【００１６】
＜見出し部１００について＞
次に、図３および図４を参照して、見出し部１００の構成について説明する。図３は、見出し部１００単体の表部１１０と裏部１２０を折り重ねる前の状態を示す平面図である。また、図４は、見出し部１００単体の表部１１０と裏部１２０を折り重ねた状態を裏部１２０側から見たときの平面図である。見出し部１００は長手方向に延びる矩形状である。見出し部１００は、図３において長手方向の中央より下方の表部１１０と、中央より上方の裏部１２０とからなる。表部１１０と裏部１２０は平面視で同じ面積を有するとともに、互いの長手方向の端辺で一体的に成形される。
また、見出し部１００は、表表紙部３２の外側表面とフラットな表側見出し部１３２と、裏表紙部３４の外側表面とフラットな裏側見出し部１３４と、これら表側見出し部１３２および裏側見出し部１３４を一体的に接続する、背表紙部３６の外側表面とフラットな背側見出し部１３６とを含む。
表側見出し部１３２と背側見出し部１３６とは、一直線状の表背見出し接続部１６２において一体的に接続される。また、裏側見出し部１３４と背側見出し部１３６とは、一直線状の裏背見出し接続部１６４において一体的に接続される。
【００１７】
表部１１０と裏部１２０とは、互いの長手方向の端辺である図中二点鎖線で示す折り部１３０において一体的に成形される。そして、折り部１３０で折られることにより、表部１１０と裏部１２０とは、互いに折り重ねられる。こうすることにより、後に説明する溶着作業を行えば、表部１１０と裏部１２０の間に見出し紙２００を挿入するための空間が形成される。また、上記のように折り重ねられることにより、後に説明する窓抜き縁８０に対応する矩形状の見出し部縁１０２が形成される。この実施の形態では、見出し部縁１０２の全ての端辺は直線状である。すなわち、この実施の形態において、見出し部縁１０２は、表紙２０を完全に見開いた状態のとき、上下方向に直線状に延びる互いに平行な第１見出し部端辺１０２ａおよび第２見出し部端辺１０２ｂと、幅方向に直線状に延びる互いに平行な第３見出し部端辺１０２ｃおよび第４見出し部端辺１０２ｄとで構成される。表部１１０は、表紙本体３０の外側表面６０とフラットになる外面１１２を有する。また、裏部１２０の幅方向の端辺の近傍には、長手方向に延びるスリット１２２が設けられる。このスリット１２２は、見出し紙２００を見出し部１００の上記した空間の中に挿入するために設けられる。
【００１８】
＜表紙本体３０について＞
次に、図５を参照して、表紙本体３０の構成について説明する。図５は、表紙本体３０単体を見開いた状態を内側から見たときの平面図である。表紙本体３０は、表表紙部３２と、裏表紙部３４と、これら表表紙部３２および裏表紙部３４を一体的に接続する背表紙部３６と、表紙本体３０を切欠いて設けられる窓抜き部８０とを含む。窓抜き部８０は、表紙本体３０を貫通する孔である。表表紙部３２と背表紙部３６とは、図中二点鎖線で示す直線状の表背接続部１５２において一体的に接続される。また、裏表紙部３４と背表紙部３６とは、図中二点鎖線で示す直線状の裏背接続部１５４において一体的に接続される。窓抜き部８０は、図示するように、表表紙部３２における背表紙部３６側の端辺近傍から、背表紙部３６を経て、裏表紙部３４における背表紙３６側の端辺近傍までを切り欠くことによって設けられる。そして、窓抜き部８０は、見出し部１００と同等または見出し部１００より幾分大きい面積を有するとともに、見出し部１００の見出し部縁１０２に対応する形状の切欠き縁８２を有する。この実施の形態では、切欠き縁８２の全ての端辺は直線状である。すなわち、切欠き縁８２は、表紙２０を完全に見開いた状態のとき、上下方向に直線状に延びる互いに平行な第１切欠き端辺８２ａおよび第２切欠き端辺８２ｂと、幅方向に直線状に延びる互いに平行な第３切欠き端辺８２ｃおよび第４切欠き端辺８２ｄとで構成される。
【００１９】
＜表紙２０の製造方法について＞
次に、図６および図７を参照して、この実施の形態に係る表紙２０の製造方法について説明する。まず、表表紙部３２と、裏表紙部３４と、背表紙部３６と、窓抜き部８０とを含む表紙本体３０を作成する。次に、窓抜き部８０の切欠き縁８２に対応する形状の見出し部縁１０２を有し、透明または半透明の部材で成形される見出し部１００を作製する。表紙本体３０および見出し部１００の作製は、トムソン加工により行うことができる。したがって、金型を用いて製造する場合と比較して、製造コストを低く抑えることができるとともに、短時間での製造が可能となる。
【００２０】
次に、作製した表紙本体３０の窓抜き部８０に、見出し部１００を宛がう。なお、このとき、表紙本体３０の外側表面６０および見出し部１００の外側表面（すなわち、表部１１０の外面１１２）が載置面に当接するように載置する。このときの状態を図６Ａおよび図６Ｂに示す。図６Ａは、表紙本体３０の窓抜き部８０に見出し部１００を宛がった状態を示す平面図であり、図６Ｂは、図６ＡのＩ−Ｉ断面図である。すなわち、図６Ａは、表紙本体３０の内側表面と、見出し部１００の内側表面（すなわち、裏部１２０）とが見えた状態を示している。上記したように、表紙本体３０の窓抜き部８０の切り欠き縁８２と、見出し部１００の見出し部縁１０２とは互いに対応する形状を有し、且つ窓抜き部８０は、見出し部１００よりも幾分大きい。したがって、窓抜き部８０に見出し部１００を宛がうと、図示するように、窓抜き部８０の内部に見出し部１００が綺麗に納まった状態になる。
【００２１】
最後に、図６Ｂに示すような熱を帯びた溶着型４００を窓抜き部８０の切欠き縁８２と、見出し部１００の見出し部縁１０２との境界に表紙本体３０の外側表面６０の側から押し当てることにより、溶着を行う。溶着した後の状態を図７Ａおよび図７Ｂに示す。図７Ａは、切欠き縁８２と見出し部縁１０２とを溶着した状態を示す平面図である。また、図７Ｂ（ａ）は、図７ＡのＩＩ−ＩＩ断面図である。また、図７Ｂ（ｂ）は、図７Ｂ（ａ）のＩＶ部拡大図であり、図７Ｂ（ｃ）は、図７Ｂ（ａ）のＶ部拡大図である。ここで、上記したように、窓抜き部８０は、見出し部１００よりも幾分大きい面積を有し、且つ窓抜き部８０の切欠き縁８２と、見出し部１００の見出し部縁１０２とは互いに対応した形状を有する。したがって、図７Ｂおよび図７Ｃの拡大図に示すように、切欠き縁８２と見出し部縁１０２との全周が互いに沸き出して広がることにより繋がって一体化する。より具体的には、図７Ｂ（ｃ）の拡大図のように第１切欠き端辺８２ａと第１見出し部端辺１０２ａが互いに沸き出して溶着する。また、図７Ｂ（ｂ）の拡大図のように第２切欠き端辺８２ｂと第２見出し部端辺１０２ｂが互いに沸き出して溶着する。また、図７Ｃ（ｃ）の拡大図のように第３切欠き端辺８２ｃと第３見出し部端辺１０２ｃが互いに沸き出して溶着する。また、図７Ｃ（ｂ）の拡大図のように第４切欠き端辺８２ｄと第４見出し部端辺１０２ｄが互いに沸き出して溶着する。
【００２２】
このようにして、表紙本体３０の外側表面６０と見出し部１００の外側表面（すなわち、表部１１０の外面１１２）とがフラットになった状態で溶着される。また、このような溶着方法により、十分な強度で溶着しあうことができる。このようにして、表紙本体３０の窓抜き部８０に見出し部１００が溶着された表紙２０が完成する。なお、この溶着により、見出し部１００の表部１１０と裏部１２０の外縁同士も溶着され、見出し紙２００を挿入するための空間が形成される。
【００２３】
上記のように製造されたこの実施の形態に係る表紙２０は、表紙本体３０の外側表面と見出し部１００の外側表面（すなわち、表部１１０の外面１１２）とがフラットであり、従来のように見出し部１００が表紙本体３０の外側表面６０から飛び出た状態にならない。したがって、破れたり撓んだりすることがない。また、表紙本体３０に鉄枠などを突設する必要もない。その結果、十分な強度を有するとともに、製造コストを低く抑えることができる。
【００２４】
＜ファイル１０の製造方法について＞
続いて、図８〜図１０を参照して、上記のように製造した表紙２０を主要な構成とするファイル１０の製造方法について説明する。まず、図８および図９に示すように、上記のように製造した表紙２０の背表紙部３６の内側に、長手方向の形状を有する綴じ具１８０を取り付ける。このとき、綴じ具１８０の長手方向の両端部の間に見出し部１００が位置するように取り付ける。こうすることにより、表紙本体３０の内側において見出し部１００が綴じ具１８０によって保護されるため、表紙本体３０と見出し部１００の強度がより高くなる。そして、図９および図１０に示すように、見出し部１００の裏部１２０に設けられるスリット１２２から、見出し紙２００を挿入する。
【００２５】
＜変形例（切欠き縁８２および見出し部縁１０２）について＞
次に、図１１〜図１４を用いて、上記した実施の形態の変形例について説明する。なお、切欠き縁８２および見出し部縁１０２の形状を除いて、上記した実施の形態と同様の構成であるため、同一部分には同じ参照番号を付し、同様となる説明は繰り返さない。図１１は、この変形例に係る表紙２０が備える表紙本体３０単体を見開いた状態を内側から見たときを示す平面図である。図１２は、図１１の窓抜き縁８２に対応した形状の見出し部縁１０２を有する見出し部１００を示す平面図である。
【００２６】
図示するように、見出し部１００の見出し部縁１０２は、幅方向の両端辺が凹凸形状を有する。より具体的には、幅方向の両端辺の凹凸形状は、同一形状の台形が長手方向に複数個並ぶ態様であり、凹部および凸部の上底または下底それぞれが見出し部縁１０２の一部を構成する。また、窓抜き部８０には、この見出し部縁１０２に対応した形状の切欠き縁８２が設けられる。見出し部縁１０２および切欠き縁８２に上記したような凹凸を設けることで、溶着される部分がより長くなるため、溶着の強度をより高めることができる。
【００２７】
なお、ここでいう凹凸形状とは、広く直線状でない形状のことをいう。すなわち、凹凸形状は図１２に示す形状に限定されない。例えば、図１３に示すように、同一形状の三角形が長手方向に複数個並ぶ形状であってもよいし、図１４に示すように、図１２の台形のピッチを長くした形状であってもよい。また、図１２〜図１３に示す形状と同様の形状で、凹凸をより深くしてもよいし、浅くしてもよい。さらに、波打った形状や凸部の先端が屈曲する形状なども考えられる。また、幅方向の両端辺の凹凸形状が互いに異なる形状であってもよい。また、一方の端辺のみに凹凸形状を設け、他方の端辺は直線状にしてもよい。また、長手方向の両端辺にも凹凸を設けるようにしてもよい。なお、幅方向の両端辺および長手方向の両端辺（すなわち、全ての端辺）において凹凸形状を設けることにより、溶着の強度をより高めることができる。
【００２８】
＜他の実施の形態について＞
次に、この発明の他の実施の形態に係る表紙２０について説明する。なお、この実施の形態では、窓抜き部８０および見出し部１００を除いて、上記した実施の形態と同様の構成である。したがって、同一部分には同じ参照番号を付し、同様となる説明は繰り返さない。
【００２９】
図１５は、この実施の形態に係る表紙２０を表表紙部３２の側から見た平面図である。上記した実施の形態では、見出し部１００は、表側見出し部１３２と、裏側見出し部１３４と、これら表側見出し部１３２および裏側見出し部１３４を一体的に接続する背側見出し部１３６とを含むものであった。また、見出し部１００は表部１１０と裏部１２０からなり、表部１１０と裏部１２０が互いに折り重ねられることにより、見出し紙２００を挿入するための空間が形成された。
【００３０】
この実施の形態の見出し部１００は、図１５に示すように、表表紙部３２に設けられる単純な一枚の平板形状である。すなわち、見出し部１００が見出し紙２００を挿入するための空間を有しない。したがって、この実施の形態の見出し部１００は、例えば、ファイル１０に綴じられる複数枚の用紙３００の一枚目の用紙において、見出し部１００の対応する位置に表された見出しを視認できるようにするために設けられる。なお、これに限らず、見出し部１００の裏面（ファイル１０の内側にある面）に見出しの表わされたシールを貼り付け、これを視認できるようにするなど、他の態様で表わされた見出しを視認するためのものであってもよい。
【００３１】
＜他の変形例について＞
なお、上記した実施の形態では、見出し部１００は、表表紙部３２の外側表面とフラットな表側見出し部１３２と、裏表紙部３４の外側表面とフラットな裏側見出し部１３４と、これら表側見出し部１３２および裏側見出し部１３４を一体的に接続する、背表紙部３６の外側表面とフラットな背側見出し部１３６とを含む場合について説明した。しかしながら、これに限らず、見出し部１００は、表表紙部３２、裏表紙部３４または背表紙部３６だけに設けられてもよい。また、表表紙部３２と背表紙部３６に亘って設けられてもよいし、裏表紙部３４と背表紙部３６に亘って設けられてもよい。
【００３２】
また、上記した実施の形態では、窓抜き部８０が表紙本体３０の内部に設けられることにより、矩形状の切欠き縁８２は４辺を有するものであった。しかしながら、これに限らず、窓抜き部８０を表紙本体３０の端辺または角部に設けることで、切欠き縁８２が２辺または３辺を有するものであってもよい。こうすることにより、表紙本体３０を形成するためのシートから表紙本体を裁断するなどして表紙本体３０を作製するステップを容易に行うことが可能となる。
【００３３】
なお、切り欠き縁８２と見出し部縁１０２の溶着方法は任意である。例えば、熱溶着、高周波や超音波を利用した溶着などが考えられるが、この他の方法で溶着してもよい。
【００３４】
また、上記した実施の形態では、見出し部１００が矩形状である場合について説明したが、これに限らず、三角形や円形などの形状であってもよいし、その他の任意の形状であってもよい。
【００３５】
以上、図面を参照してこの発明の実施の形態を説明したが、この発明は、図示する実施の形態のものに限定されない。図示された実施の形態に対して、この発明と同一の範囲内において、あるいは均等の範囲内において、種々の修正や変形を加えることが可能である。
【符号の説明】
【００３６】
１０  ファイル
２０  表紙
３０  表紙本体
３２  表表紙部
３４  裏表紙部
３６  背表紙部
６０  表紙本体の外側表面
８０  窓抜き部
８２  切欠き縁
８２ａ  第１切欠き端辺
８２ｂ  第２切欠き端辺
８２ｃ  第３切欠き端辺
８２ｄ  第４切欠き端辺
１００  見出し部
１０２  見出し部縁
１０２ａ  第１見出し部端辺
１０２ｂ  第２見出し部端辺
１０２ｃ  第３見出し部端辺
１０２ｄ  第４見出し部端辺
１１０  表部
１１２  外面
１２０  裏部
１２２  スリット
１３０  折り部
１３２  表側見出し部
１３４  裏側見出し部
１３６  背側見出し部
１５２  表背接続部
１５４  裏背接続部
１６２  表背見出し接続部
１６４  裏背見出し接続部
１８０  綴じ具
１８２  綴じ具本体
１８４  リング部
２００  見出し紙
３００  複数枚の用紙
４００  溶着型
【図１】
0006049680.tif 000002
【図２】
0006049680.tif 000003
【図３】
0006049680.tif 000004
【図４】
0006049680.tif 000005
【図５】
0006049680.tif 000006
【図６Ａ】
0006049680.tif 000007
【図６Ｂ】
0006049680.tif 000008
【図７Ａ】
0006049680.tif 000009
【図７Ｂ】
0006049680.tif 000010
【図７Ｃ】
0006049680.tif 000011
【図８】
0006049680.tif 000012
【図９】
0006049680.tif 000013
【図１０】
0006049680.tif 000014
【図１１】
0006049680.tif 000015
【図１２】
0006049680.tif 000016
【図１３】
0006049680.tif 000017
【図１４】
0006049680.tif 000018
【図１５】
0006049680.tif 000019